(57)【要約】【課題】通風抵抗を抑制する空調機器を提供する。【解決手段】空調機器は、ケーシング４と、空調用のファン３１と、ファンガード４６とを備える。空調用のファンはケーシングに格納されている。ファンガードは、ファンへの接触を防止する。ファンガードは、通気孔４６ｂを有する。通気孔は、ファンにより送り出された空気またはファンに吸い込まれる空気を通す。また、通気孔は、試験指を通さない正六角形の開口ＯＰ２，ＯＰ２，ＯＰ２，・・・の組合せからなる。また、開口が外接する円の直径は１０mm以上である。【選択図】図４Ａ
2010203634.tif 000002
【特許請求の範囲】
【請求項１】
ケーシング（４）と、
前記ケーシングに格納された空調用のファン（３０）と、
前記ファンへの接触を防止するファンガード（４６）と
を備え、
前記ファンガードは、ファンにより送り出された空気またはファンに吸い込まれる空気を通す通気孔（４６ｂ）であって、試験指を通さない正六角形の開口（ＯＰ２，ＯＰ２，・・・）の組合せからなる前記通気孔を有し、
前記開口が外接する円の直径は１０mm以上である、
空調機器。
【請求項２】
前記ファンガードの隣接する前記開口は、樹脂製の線状部材（４６ｃ）によって仕切られる、
請求項１に記載の空調機器。
【請求項３】
前記線状部材の幅は、５ｍｍ以下である、
請求項２に記載の空調機器。
【発明の詳細な説明】
【技術分野】
【０００１】
本発明は、空調機器に関する。
【背景技術】
【０００２】
従来より、空調機器に格納されたファンへの接触を防止するため、例えば、特許文献１（特開２００７−２０５６３１号）に示されるように、空調機器の空気の吹出口にはファンガードが設けられている。
【発明の概要】
【発明が解決しようとする課題】
【０００３】
ところで、ファンガードは、ファンによって送り出された空気を通すため、あるいは、ファンが空気を吸い込むため、多数の開口の組合せからなる通気孔を有する。開口は、試験指が挿入可能な大きさであってはならないが、開口の大きさが小さすぎると通風抵抗が大きくなる。
【０００４】
本発明の課題は、試験指を通さず、通風抵抗を抑制する空調機器を提供することにある。
【課題を解決するための手段】
【０００５】
第１発明に係る空調機器は、ケーシングと、空調用のファンと、ファンガードとを備える。空調用のファンはケーシングに格納されている。ファンガードは、ファンへの接触を防止する。ファンガードは、通気孔を有する。通気孔は、ファンにより送り出された空気またはファンに吸い込まれる空気を通す。また、通気孔は、試験指を通さない正六角形の開口の組合せからなる。また、開口が外接する円の直径は１０mm以上である。
【０００６】
本発明に係る空調機器では、ファンにより送り出された空気またはファンに吸い込まれる空気は、多数の正六角形の開口の組合せからなる通気孔を通過する。また、正六角形の開口は試験指を通さない大きさであり、且つ、直径１０ｍｍ以上である。
【０００７】
これにより、通風抵抗を抑制することができる。
【０００８】
第２発明に係る空調機器は、第１発明に係る空調機器であって、ファンガードの隣接する開口は、樹脂製の線状部材によって仕切られる。
【０００９】
本発明に係る空調機器では、ファンガードは、樹脂製の線状部材によって仕切られた多数の正六角形の開口を有する。
【００１０】
これにより、ファンガードの成形を容易にすることができる。
【００１１】
第３発明に係る空調機器は、第２発明に係る空調機器であって、線状部材の幅は、５ｍｍ以下である。
【００１２】
本発明に係る空調機器では、線状部材の幅を小さくすることで、ファンガードに占める開口の割合を大きくする。
【００１３】
これにより、騒音を減らすことができる。
【発明の効果】
【００１４】
第１発明の空調機器では、通風抵抗を抑制することができる。
【００１５】
第２発明の空調機器では、ファンガードの成形を容易にすることができる。
【００１６】
第３発明の空調機器では、騒音を減らすことができる。
【図面の簡単な説明】
【００１７】
【図１Ａ】空気清浄機の外観斜視図である。
【図１Ｂ】空気清浄機の背面側の外観斜視図である。
【図２】空気清浄機１の内部の構成を空気の流れと共に示した模式図である。
【図３Ａ】プレフィルタの概略図である。
【図３Ｂ】正面パネルが取り外された空気清浄機の外観斜視図である。
【図３Ｃ】プラズマイオン化部の背面斜視図である。
【図４Ａ】ファンガードの概略図である。
【図４Ｂ】ファンガードの部分拡大図である。
【図５】試験指を示す図である。
【図６】複数の形状の開口を有する通気孔を示す図である。
【図７】各形状の開口の開口率を比較する表を示す図である。
【発明を実施するための形態】
【００１８】
以下、図面に基づいて、本発明に係る空気清浄機（空調機器）１の実施形態について説明する。
【００１９】
＜空気清浄機の全体構成＞
図１Ａおよび図１Ｂは、本発明の一実施形態に係る空気清浄機１の外観斜視図である。図１Ａおよび図１Ｂに示すように、空気清浄機１は、室内の床に設置される床置き型空気清浄機である。空気清浄機１は、室内の空気を内部に取り込み、清浄化して室内へと吹き出す。
【００２０】
空気清浄機１は、本体部２と正面パネル３とからなる箱状のケーシング４を備える。本体部２は前面に大きな開口を有する（図３Ｂ参照）。本体部２の開口は、正面パネル３によって塞がれる。ケーシング４の内部には、空気清浄機１を構成する各機構が格納されている（図２参照）。ケーシング４の内部に格納された機構は、本体部２の開口を介して取り外し等が可能な構成となっている。
【００２１】
ケーシング４には、下方吸込み口ＰＷ０と、側面吸込み口ＰＷ１と、吹出し口ＰＷ２とが設けられている。
【００２２】
下方吸込み口ＰＷ０および側面吸込み口ＰＷ１は、略矩形の開口である。下方吸込み口ＰＷ０および側面吸込み口ＰＷ１は、室内の空気を空気清浄機１内に吸い込む。吹出し口ＰＷ２もまた、略矩形の開口である。吹出し口ＰＷ２は、清浄化された空気を空気清浄機１から室内の上方に向かって吹き出す。
【００２３】
下方吸込み口ＰＷ０は、図１Ａに示すように、ケーシング４の下方の正面側端部に設けられる。下方吸込み口１３の横方向の長さは、正面パネル３の横方向の長さと略同一である。側面吸込み口ＰＷ１は、ケーシング４の左右の側面部の正面の部分にそれぞれ設けられる。吹出し口ＰＷ２は、図１Ｂに示すように、ケーシング４の上面部の背面側端部に設けられる。
【００２４】
＜空気清浄機の内部の構成＞
次に、空気清浄機１の内部の構成について図２〜図４Ｂを用いて説明する。
【００２５】
空気清浄機１は、主として、プレフィルタ４１、プラズマイオン化部４２、光触媒フィルタ４３、プラズマ触媒フィルタ４４、ファンガード４６、および送風装置３０等を備える。
【００２６】
〔プレフィルタ〕
まず、図２〜図３Ｂを用いて、プレフィルタ４１について説明する。
【００２７】
図２に示すように、プレフィルタ４１は、吸込み口ＰＷ０，ＰＷ１から吸い込まれた空気が最初に通過するフィルタである。プレフィルタ４１は、正面パネル３の後方に配置される。詳細には、後述するプラズマイオン化部４２の取付枠１１の前面に取り付けられる（図３Ｂ参照）。プレフィルタ４１は、吸い込まれた空気の中から比較的大きなホコリや塵を除去する。
【００２８】
プレフィルタ４１は、図３Ａに示すように、フィルタ部４１ａと、仕切通気部４１ｂとを有する。フィルタ部４１ａは、ポリプロピレン（以下、ＰＰという）製の糸状の樹脂網からなるネットと、ネットを保持するフレームとから構成されている。プレフィルタ４１のネットを構成する繊維には、可視光線型の光触媒とカテキンとが空気側に露出するように担持されている。可視光線型の光触媒は、可視光線により光触媒作用が活性化される酸化チタン等を含んでおり、プレフィルタ４１に付着する塵埃などに含まれるカビ菌や細菌などの菌やウィルスを除去する。仕切通気部４１ｂは、プレフィルタの中央で上下に渡って、左右のフィルタ部４１ａを仕切るように設けられている。
【００２９】
〔プラズマイオン化部〕
次に、図２および図３Ｃを用いて、プラズマイオン化部４２について説明する。
【００３０】
プラズマイオン化部４２は、図２に示すように、プレフィルタ４１の空気流れの下流側に位置している。プラズマイオン化部４２は、プレフィルタ４１を通過した空気中に含まれる、比較的小さな塵埃等の微粒子を帯電させる装置である。
【００３１】
図３Ｃに示すように、プラズマイオン化部４２は、主として、一対の対向電極２１，２２と、複数のイオン化線６６（線状電極部）とを有している。図３Ｃでは、複数のイオン化線６６のうち一部のイオン化線６６のみに符号を付して、他は省略している。
【００３２】
（対向電極）
対向電極２１，２２は、方形波形状の断面を有する金属板であって、上下に分かれて取り付けられている。対向電極２１，２２は、イオン化線６６に近接して配置されている。対向電極２１，２２は、イオン化線６６に高圧電流が流されることにより、イオン化線６６との間にコロナ放電を生起させる。
【００３３】
（イオン化線）
複数のイオン化線６６は、対向電極２１，２２と共に、プレフィルタ４１を通過した空気中に浮遊している比較的小さな塵埃を耐電させる役割を担う。イオン化線６６に放電電圧が印可されることによって、イオン化線６６と対向電極２１，２２との間にコロナ放電が生じる。イオン化線６６は、空気経路に交差するように、空気経路を通過する空気流中に配置される。また、イオン化線６６は、鉛直方向に平行に設けられており、複数のイオン化線６６が水平方向に複数本並んで配置されている。これらのイオン化線６６は、微小径のタングステン線材などによって形成され、塵埃等を帯電させるための放電電極として用いられる。
【００３４】
〔光触媒フィルタ〕
光触媒フィルタ４３は、図２に示すように、プラズマイオン化部４２の空気流れの下流側に配置される。光触媒フィルタ４３は、静電フィルタ４５およびチタンアパタイト担持フィルタを張り合わせて形成されたプリーツ状のフィルタである。なお、光触媒フィルタ４３は、静電フィルタ４５が前側に、チタンアパタイト担持フィルタが後側に面するように配置されている。静電フィルタ４５は、プラズマイオン化部４２を通過する際に帯電させられた塵埃などを捕集する。チタンアパタイト担持フィルタは、静電フィルタ４５を通過した塵埃などを吸着する。チタンアパタイト担持フィルタは、プレフィルタ４１と同様に、チタンアパタイトを担持させたＰＰの繊維から形成されている。チタンアパタイトは、塵埃などに含まれるウィルスやカビ菌、細菌などを特異的に吸着する性質を有する。
【００３５】
〔プラズマ触媒フィルタ〕
プラズマ触媒フィルタ４４は、図２に示すように、上述した光触媒フィルタ４３の後方に配置される。プラズマ触媒フィルタ４４は、光触媒フィルタ４３に吸着されなかった空気中のウィルスや菌などを吸着する。プラズマ触媒フィルタ４４には、アナターゼ型の二酸化チタンが担持されている。プラズマ触媒フィルタ４４では、吸着された菌やウィルスなどが活性種により活性化された二酸化チタンによって死滅あるいは不活化される。
【００３６】
〔ファンガード〕
次に、図２、図４Ａ、および図４Ｂを用いて、ファンガード４６の構成を説明する。図４Ａは、ファンガード４６の概略構成図である。また、図４Ｂは、通気孔４６ｂの部分拡大図である。
【００３７】
ファンガード４６は、指が送風ファン３１へ接触することを防止する。ファンガード４６は、図２に示すように、上述したプラズマ触媒フィルタ４４の後方、且つ、送風装置３０の前方に配置される。
【００３８】
ファンガード４６は、図４Ａに示すように、主として、枠体４６ａと、通気孔４６ｂとを有する。
【００３９】
枠体４６ａは、送風装置３０の前面に取り付けられる。詳細には、ファンガード４６の枠体４６ａは、送風装置３０の枠体（図示しない）にネジ等によって取り付けられる。ファンガード４６は、送風装置３０に含まれる送風ファン３１と、所定の距離間隔を空けて配置される。
【００４０】
通気孔４６ｂは、多数の開口ＯＰ２，ＯＰ２，ＯＰ２，・・・の組合せからなる。後述する送風装置３０には、当該通気孔４６ｂを通過した空気が送り込まれる。開口ＯＰ２，ＯＰ２，ＯＰ２，・・・の形状は、正六角形である。具体的に、通気孔４６ｂは、ハニカム構造を有している。また、一の正六角形の開口ＯＰ２に隣接する他の正六角形の開口ＯＰ２は、樹脂製の線状部材４６ｃによって仕切られる。通気孔４６ｂは、射出成形により成形される。
【００４１】
開口ＯＰ２の大きさは、図５に示す試験指１００が挿入できない大きさである。試験指１００は、図５に示すように、主として、円板上の停止板１０１と、停止板１０１から延びる第１円柱部１０２と、第１円柱部１０２から延びる第２円柱部１０３と、第２円柱部１０３から延びる疑似指先部１０４とから構成されている。また、試験指１００には、２つの関節部分ＪＴ，ＪＴが設けられている。２つの関節部分ＪＴ，ＪＴは所定角度に曲がるようになっている。図５の寸法は、Ｌ１＝８０ｍｍ、Ｌ２＝６０ｍｍ、Ｌ３＝２０ｍｍ、Ｌ４＝７５ｍｍ、Ｄ＝１２ｍｍである。すなわち、第２円柱部１０３の直径（Ｄ）は１２ｍｍである。
【００４２】
したがって、開口ＯＰ２の大きさとは、具体的に開口ＯＰ２に外接する円の直径が、１２ｍｍ±２ｍｍである。好ましくは、開口ＯＰ２に外接する円の直径は、１２ｍｍ以下であって、１０ｍｍ以上である。最も好ましくは、開口ＯＰ２に外接する円の直径は、１２ｍｍである。
【００４３】
一の六角形と他の六角形とを仕切る線状部材４６ｃの幅（図４Ｂ参照）は、１ｍｍ以上５ｍｍ以下である。好ましくは、線状部材４６ｃの幅が３ｍｍである。また、線状部材４６ｃの厚みは、２ｍｍ以上８ｍｍ以下である。好ましくは、線状部材４６ｃの厚みは、５ｍｍである。
【００４４】
〔送風装置〕
送風装置３０は、吸込み口ＰＷ０，ＰＷ１から吸い込まれ、プレフィルタ４１、プラズマイオン化部４２、光触媒フィルタ４３、プラズマ触媒フィルタ４４、ファンガード４６を通って吹出し口ＰＷ２から吹き出される空気の流れを生成する（図２参照）。
【００４５】
送風装置３０は、主として、送風ファン３１およびファンモータ３２を有する。送風ファン３１は、回転軸方向から空気を吸い込み、回転中心から半径方向外側に向かって空気を吹き出す遠心ファンである。ファンモータ３２は、インバータ回路により周波数制御されるインバータモータであり、図示しない制御部によって制御される。なお、送風装置３０によって生成された空気流は吹出し口ＰＷ２に送られる。
【００４６】
上述したように、送風ファン３１とファンガードとは所定の距離間隔を空けて配置されている。所定の距離間隔とは、詳細には、上記試験指１００の擬似指先部１０４の長さよりも長い距離間隔である。より詳細には、送風ファン３１とファンガードとの間には、２０ｍｍ以上の距離間隔が空けられる。
【００４７】
＜開口率の比較＞
次に、図６および図７を参照して、本実施形態に係る空気清浄機１で用いたファンガード４６の開口率と他の形状を有する開口の開口率とを比較した結果を説明する。比較した開口の形状は、具体的には、図６に示すように、円、正三角形、正方形、および正六角形である。また、図７に示すように、上記各形状の開口について、開口の面積及び線状部材の面積を算出し、開口率を比較した。
【００４８】
図６では、一辺の長さＬの正方形に、上記各形状の開口と、所定幅Ｗ１の線状部材４６ｃとを設けている。ここで、開口の形状が円の場合、当該円の直径をαとすると（図６（ａ）参照）、正三角形の開口の一辺の長さが０．８６６０５α（図６（ｂ）参照）、正方形の開口の一辺の長さが０．７０７１α（図６（ｃ）参照）、そして、正六角形の開口の一辺の長さが０．５α（図６（ｄ）参照）となる。
【００４９】
また、縦Ｌ１×横Ｌ１の面積（全体の面積）をＬ2とした場合の開口の面積は、円の場合、図７に示すように、０．７１Ｌ2、正三角形の場合に０．６１Ｌ2、正方形の場合に０．７４Ｌ2、正六角形の場合に０．８０Ｌ2となる。また、線状部材４６ｃの面積は、円の場合に０．２９Ｌ2、正三角形の場合に０．３９Ｌ2、正方形の場合に０．２６Ｌ2、正六角形の場合に０．２０Ｌ2となる。さらに開口率は、円の場合に７１％、正三角形の場合に６１％、正方形の場合に７４％、正六角形の場合に８０％となる。
【００５０】
すなわち、これら複数の形状の開口のうち、正六角形が、所定幅Ｗ１の線状部材４６ｃを設けた場合に最も大きな開口率を有することになる。
【００５１】
＜空気清浄機１の特徴＞
（１）
本実施形態に係る空気清浄機１は、その内部に取り外し可能な機構を有している（図２参照）。したがって、内部の機構の清掃またはメンテナンスが行われる際、ユーザの指が送風ファン３１に接触する可能性が生じる。しかし、本実施形態に係る空気清浄機１は、指が送風ファン３１へ接触することを防止するファンガード４６を有する。ファンガード４６は、開口の形状を正六角形とすることにより、ファンガード４６全体の面積において、線状部材４６ｃに対する開口ＯＰ２，ＯＰ２，ＯＰ２，・・・の割合を大きくすることができる。これにより、通風抵抗を低減させることができる。
【００５２】
また、ファンガード４６は、図示しない送風装置３０の枠体にネジ等によって取り付けられている。これにより、ファンガード４６を容易に取り外すことはできないため、ユーザによる通常のメンテナンス時、例えば、清掃等の場合に、ユーザが送風ファン３１に接触することを防ぐことができる。
【００５３】
（２）
また、上記実施形態に係るファンガード４６は、樹脂製であるため成形しやすく軽量である。一方、ファンガード４６が樹脂製であるため、金属製のファンガード４６に比べ、指が挿入された際に開口が変形しやすい。しかし、本発明では、ファンガード４６をハニカム構造とし、開口ＯＰ２，ＯＰ２，ＯＰ２，・・・の形状を正六角形にしている。これにより、他の形状に比べ開口が変形しにくい。
【００５４】
（３）
さらに、隣接する開口ＯＰ２，ＯＰ２，ＯＰ２，・・・を仕切る線状部材４６ｃの幅Ｗ１は５ｍｍ以下である。線状部材４６ｃの幅Ｗ１が小さいため、騒音を減らすことができる。
【００５５】
＜変形例＞
（ａ）
上記実施形態では、ファンガード４６の枠体４６ａが、送風装置３０の前面にネジ等によって取り付けられたが、例えば、ドライバーやコインなどの特殊工具を用いて外す構造であれば、その他の方法で取り付けられていてもよい。
【００５６】
（ｂ）
上記実施形態では、ファンガードを空調機器としての空気清浄機に設けた例をあげて説明したが、空気清浄機に限られず天吊り型室内機やその他の空調機器に用いることもできる。
【００５７】
（ｃ）
上記実施形態では、射出成形を用いて通気孔４６ｂを成形したが、その他の方法で成形することもできる。
【００５８】
＜他の実施形態＞
以上、本発明の実施形態について図面に基づいて説明したが、具体的な構成はこれらの実施形態に限られるものではなく、発明の要旨を逸脱しない範囲で変更可能である。
【産業上の利用可能性】
【００５９】
本発明は、通風抵抗を抑制する空調機器として有用である。
【符号の説明】
【００６０】
１                空気清浄機（空調機器）
４６              ファンガード
４６ａ            枠体
４６ｂ            通気孔
４６ｃ            線状部材
【先行技術文献】
【特許文献】
【００６１】
【特許文献１】特開２００７−２０５６３１号
【図１Ａ】
2010203634.tif 000003
【図１Ｂ】
2010203634.tif 000004
【図２】
2010203634.tif 000005
【図３Ａ】
2010203634.tif 000006
【図３Ｂ】
2010203634.tif 000007
【図３Ｃ】
2010203634.tif 000008
【図４Ａ】
2010203634.tif 000009
【図４Ｂ】
2010203634.tif 000010
【図５】
2010203634.tif 000011
【図６】
2010203634.tif 000012
【図７】
2010203634.tif 000013